(57)【要約】【課題】広視野角モードで十分な輝度を実現し、且つ、狭視野角モードでは主たる表示方向以外の輝度を十分抑えることが可能な液晶表示装置を提供する。【解決手段】液晶表示装置１００は、狭配光バックライト１０と、その前方に配置された透明バックライト３０と、横電界モードの透過型液晶パネル５とを備える。透明バックライト３０は、狭配光バックライト１０に対向配置された透明な導光板３１と、その側面に配置された光源３２を有するサイドライト型である。導光板３１の狭配光バックライト１０側の面には、縦方向に延びるプリズム状の凹凸が形成されている。透過型液晶パネル５の各画素には、横方向に延びる櫛歯電極５２が配置されている。【選択図】図１
2020118739.tif 000002
【特許請求の範囲】
【請求項１】
第１のバックライトと、
前記第１のバックライトの前方に配置された透明な第２のバックライトと、
前記第２のバックライトの前方に配置された横電界モードの透過型液晶パネルと、
を備え、
前記第２のバックライトは、前記第１のバックライトに対向配置された透明な導光板、および、前記導光板の側面に配置された光源を有するサイドライト型であり、
前記導光板の第１のバックライト側の面には、縦方向に延びるプリズム状の凹凸が形成されており、
前記透過型液晶パネルの各画素には、横方向に延びる櫛歯状の電極、あるいは、横方向に延びるスリットを有する電極が配置されている、
液晶表示装置。
【請求項２】
前記プリズム状の凹凸は、前記導光板の内側で前記光源に面するように傾斜した反射面と、前記反射面よりも傾斜角度が小さい導光反射面とが交互に配置されて成る、
請求項１に記載の液晶表示装置。
【請求項３】
前記反射面および前記導光反射面の傾斜角度に関し、前記導光板の内側で前記光源に面するように傾いた傾斜角度を正、その逆方向に傾いた傾斜角度を負と定義すると、
前記導光反射面の傾斜角度は、前記光源に近い位置の前記導光反射面で負、前記光源から遠い位置の前記導光反射面で正となるように、前記光源から遠ざかるにつれて増加し、
前記反射面の傾斜角度は、正の値の範囲で、前記光源から遠ざかるにつれて徐々に増加する、
請求項２に記載の液晶表示装置。
【請求項４】
前記反射面および前記導光反射面の傾斜角度に関し、前記導光板の内側で前記光源に面するように傾いた傾斜角度を正、その逆方向に傾いた傾斜角度を負と定義すると、
前記反射面の傾斜角度は、＋２５°以上、＋５５°以下であり、
前記導光反射面の傾斜角度は、−１０°以上、＋１０°以下である、
請求項２または請求項３に記載の液晶表示装置。
【請求項５】
前記第２のバックライトと前記透過型液晶パネルとの間に配置され、光線散乱状態と光透過状態とを切り替え可能な光学装置をさらに備える、
請求項１から請求項４のいずれか一項に記載の液晶表示装置。
【請求項６】
前記第１のバックライトは、前面に視野角制限フィルムを備えた狭配光バックライトである、
請求項１から請求項５のいずれか一項に記載の液晶表示装置。
【発明の詳細な説明】
【技術分野】
【０００１】
本発明は液晶表示装置に関し、特に、車載用の液晶表示装置に関するものである。
【背景技術】
【０００２】
近年、車載用表示装置の普及が進んでおり、映画などの視聴に対応できる大画面で高画質な車載用表示装置の需要がある。特に、助手席用の表示装置には、ドライバーディストラクション防止の観点から、通常は広い視野角特性を有するが、必要に応じて運転席からは表示画像が見えない横方向（左右方向）に狭い視野角特性に切り替えることが可能な表示装置が要求される。例えば下記の特許文献１〜３には、液晶表示装置の視野角の広さを切り替え可能にする技術が開示されている。
【先行技術文献】
【特許文献】
【０００３】
【特許文献１】特許第３９２２７３５号公報
【特許文献２】特許第４７６６５４２号公報
【特許文献３】特許第４３６３２２５号公報
【発明の概要】
【発明が解決しようとする課題】
【０００４】
視野角特性を切り替え可能な表示装置においては、広い視野角の表示モード（以下「広視野角モード」という）では主たる表示方向だけでなく従なる表示方向にも十分な輝度を持つ輝度プロファイルを実現し、且つ、狭い視野角の表示モード（以下「狭視野角広視野角モード」という）では主たる表示方向以外の輝度が十分抑えられた輝度プロファイルを実現することが課題となる。
【０００５】
本発明は上記のような課題を解決するためになされたものであり、広視野角モードで十分な輝度を実現し、且つ、狭視野角モードでは主たる表示方向以外の輝度を十分抑えることが可能な液晶表示装置を提供する。
【課題を解決するための手段】
【０００６】
本発明に係る液晶表示装置は、第１のバックライトと、前記第１のバックライトの前方に配置された透明な第２のバックライトと、前記第２のバックライトの前方に配置された横電界モードの透過型液晶パネルと、を備え、前記第２のバックライトは、前記第１のバックライトに対向配置された透明な導光板、および、前記導光板の側面に配置された光源を有するサイドライト型であり、前記導光板の第１のバックライト側の面には、縦方向に延びるプリズム状の凹凸が形成されており、前記透過型液晶パネルの各画素には、横方向に延びる櫛歯状の電極、あるいは、横方向に延びるスリットを有する電極が配置されている。
【発明の効果】
【０００７】
本発明に係る液晶表示装置によれば、広視野角モードでは、第１のバックライトおよび第２のバックライトの両方を点灯して、透過型液晶パネルに画像を表示することで、主たる表示方向だけでなく従なる表示方向にも十分な輝度を持つ輝度プロファイルを実現できる。また、狭視野角モードでは、第１のバックライトを点灯し、第２のバックライトを消灯して、透過型液晶パネルに画像を表示することで、主たる表示方向以外の輝度が十分抑えられた輝度プロファイルを実現することができる。
【図面の簡単な説明】
【０００８】
【図１】実施の形態１に係る液晶表示装置の構成を示す分解斜視図である。
【図２】実施の形態１に係る液晶表示装置の透明バックライトの構成を示す斜視図である。
【図３】透明バックライトが備える導光板の導光反射面および反射面の傾斜角度と導光板の裏面から入射した光の出射角度との関係を示す図である。
【図４】透明バックライトが備える導光板の反射面の傾斜角度と導光板の入射側面から入射した光の出射角度との関係を示す図である。
【図５】実施の形態１に係る液晶表示装置が設置された車内の模式図である。
【図６】狭配光バックライトおよび透明バックライトの配光特性を表すグラフである。
【図７】狭配光バックライトおよび透明バックライトの配光特性を表すグラフである。
【図８】実施の形態２に係る液晶表示装置の構成を示す分解斜視図である。
【図９】実施の形態２に係る液晶表示装置の透明バックライトの構成を示す斜視図である。
【図１０】実施の形態２に係る液晶表示装置が設置された車内の模式図である。
【発明を実施するための形態】
【０００９】
＜実施の形態１＞
図１は、実施の形態１に係る液晶表示装置１００の構成を示す分解斜視図である。図１のように、液晶表示装置１００は、第１のバックライトである狭配光バックライト１０と、狭配光バックライト１０の前方に配置された透明な第２のバックライトである透明バックライト３０と、透明バックライト３０の前方に配置された光学装置４と、光学装置４の前方に配置された透過型液晶パネル５とを備えている。
【００１０】
狭配光バックライト１０は、面状の光源であるバックライト１１と、その前面に設けられた視野角制限フィルム１２とから構成されている。視野角制限フィルム１２は、狭配光バックライト１０が発した光に対し、液晶表示装置１００の横方向（左右方向）の配光を制限するように機能する。より詳細には、視野角制限フィルム１２は、液晶表示装置１００の縦方向（上下方向）に延伸する遮光壁を内部に備えており、バックライト１１から左右斜め方向へ放射される光を遮断することによって、横方向に狭い配光分布を実現する。視野角制限フィルム１２としては、例えば３Ｍ社製のＬＣＦ（Light Control Film）（「ＬＣＦ」は登録商標）、ＤＮＰ社製のＬＡＦ（Louver Array Film）などを用いることができる。
【００１１】
透明バックライト３０は、狭配光バックライト１０に対向配置された透明な導光板３１と、導光板３１の側面３１ｄに対向配置された光源３２とを有するサイドライト型である。図２に示すように、透明バックライト３０の導光板３１の前面３１ａ（透過型液晶パネル５側の）は平坦であるが、その裏面（狭配光バックライト１０側の面）には、縦方向に延びるプリズム状の凹凸が形成されている。プリズム状の凹凸は、透過型液晶パネル５の表示面に対する傾斜角度が小さい（透過型液晶パネル５に対して平行に近い）面３１ｂと、傾斜角度が大きい面３１ｃとが交互に配置された構造を有している。傾斜角度が大きい面３１ｃは、導光板３１の内側で光源３２に面するように傾斜しており、傾斜角度が小さい面３１ｂはその逆方向に傾斜している。本実施の形態では、プリズム状の凹凸の高さは均一であるため、導光板３１の裏面は横方向にほぼ平坦である。
【００１２】
以下、透明バックライト３０の前面３１ａを「出射面」と称し、透明バックライト３０の裏面の傾斜角度が小さい面３１ｂを「導光反射面」、傾斜角度が大きい面３１ｃを「反射面」と称し、光源３２が配置された側面３１ｄを「入射側面」と称する。また、導光反射面３１ｂおよび反射面３１ｃの傾斜角度に関し、導光板３１の内側で光源３２に面するように傾いた傾斜角度を正（＋）、その逆方向に傾いた傾斜角度を負（−）と定義する。さらに、出射面３１ａから出射する光の進行方向（出射方向）に関し、出射面３１ａの正面方向を０°、光源３２側へ傾いた方向を正（＋）、その逆方向に傾いた方向を負（−）と定義する。
【００１３】
図３に、導光板３１の導光反射面３１ｂおよび反射面３１ｃの傾斜角度と、導光板３１の裏面から入射した光の出射面３１ａからの出射角度との関係を示す。本実施の形態では、狭配光バックライト１０が発した光の進行方向の横方向の変化を１０°以内（±５°以内）に抑えるため、導光反射面３１ｂの傾斜角度（図２のθｂ）を−１０°以上、＋１０°以下に設定する。一方、反射面３１ｃの傾斜角度（図２のθｃ）は、＋２５°以上、＋５５°以下とする。
【００１４】
図４に、導光板３１の反射面３１ｃの傾斜角度と入射側面３１ｄから入射した光の出射面３１ａからの出射角度との関係を示す。図２を参照し、光源３２から導光板３１の入射側面３１ｄに入射した光Ａは、導光反射面３１ｂで反射されながら導光板３１内を伝搬拡散し、反射面３１ｃで反射されて出射面３１ａから斜め方向へと放射される。導光板３１の屈折率が１．５程度であれば、図４に示すように、反射面３１ｃの傾斜角度を＋２５°〜＋４５°の範囲にすれば、出射面３１ａから放射される光の出射角度を−７４°〜０°の方向に調整できる。ただし、反射面３１ｃの傾斜角度が過度に大きくなると、反射面３１ｃを突き抜ける光の割合が増加するため、反射面３１ｃの傾斜角度は＋２５°〜＋４０°の範囲が好適である。
【００１５】
また、狭配光バックライト１０から導光板３１の導光反射面３１ｂに入射した光Ｂは、進行方向がほぼ変化せずに（進行方向の変化は±５°以内）、出射面３１ａから出射される。なお、狭配光バックライト１０から反射面３１ｃに入射した光（不図示）の進行方向は、＋２５°程度変化するため、その向きに注意が必要である。
【００１６】
図１に戻り、光学装置４は、透明バックライト３０と透過型液晶パネル５との間に配置され、光線散乱状態と光透過状態とを電気的に切り替えることが可能である。光学装置４としては、例えば、透明電極（透明導電膜）付きの２枚の透明プラスチックシートを、透明電極を内側にして対向配置し、その間にＰＤＬＣ（高分子分散型液晶）を挟持させた積層構造の調光フィルムを用いることができる。透明電極で挟持された液晶層に電圧を印加して液晶配向を変えることにより、調光フィルムの光散乱特性（光線散乱状態または光透過状態）を電気的に変化させることができる。より具体的には、例えば、日本板硝子ウムプロダクツ株式会社製のウムフィルム（スタンダードタイプ／高遮蔽タイプ）などを用いることができる（「ウムフィルム（ＵＭＵ  ＦＩＬＭ）」は登録商標）。また、透明電極付きの透明プラスチックシートの代わりに透明電極付きの透明基板を用いてもよく、透明基板としては、例えば、ガラス基板、透光性のプラスチック基板などを用いることができる。
【００１７】
透過型液晶パネル５は、横電界モードの液晶パネルである。横電界モードの液晶パネルとしては、ＦＦＳ（Fringe Field Switching）モードあるいはＩＰＳ（In-Plane Switching）モード（「ＩＰＳ」は登録商標）のどちらを用いることもできる。透過型液晶パネル５のカラー画素は、Ｒ（赤）、Ｇ（緑）、Ｂ（青）の３つの画素（以下「サブ画素」という）から構成される。
【００１８】
図１に拡大して示すように、サブ画素の開口５１は、縦方向に延びる縦辺５１ａの長さが、横方向に延びる横辺５１ｂの長さよりも短い、略長方形である。また、サブ画素の開口５１内には、ＩＰＳモードの場合には櫛歯状、ＦＦＳモードの場合にはスリットを有する形状の電極５２が配置される。本実施の形態では、櫛歯状の電極５２の延伸方向、あるいは、電極５２のスリットの延伸方向が、横方向に設定されている。
【００１９】
このように、透過型液晶パネル５がＩＰＳモードの場合とＦＦＳモードの場合とで電極５２の形状は異なるが、以下では説明の簡単のため、電極５２を「櫛歯電極５２」と称し、櫛歯状の電極５２の延伸方向、あるいは、電極５２が有するスリットの延伸方向を、「櫛歯電極５２の延伸方向」ということとする。
【００２０】
次に、液晶表示装置１００の動作について説明する。ここでは、図５に示すように、液晶表示装置１００が、自動車内の助手席の正面に設置される助手席用の表示装置である場合を例に挙げる。液晶表示装置１００から見て、助手席はほぼ正面方向に位置し、運転席は左斜め方向（−４０°程度の方向）に位置する。この場合、液晶表示装置１００は、透明バックライト３０の光源３２が、導光板３１の運転席から遠い側になるように構成される。
【００２１】
まず、助手席方向（正面方向）のみに表示を行う狭視野角モードでの液晶表示装置１００の動作を説明する。狭視野角モードの場合、液晶表示装置１００は、狭配光バックライト１０を点灯し、透明バックライト３０を消灯し、光学装置４を光透過状態にした状態で、透過型液晶パネル５に画像を表示する。
【００２２】
狭配光バックライト１０のバックライト１１が発した光は、視野角制限フィルム１２によって横方向に狭い配光特性（４０°方向の輝度は正面輝度の１／１０以下）の光になり、透明バックライト３０の導光板３１を通過する。このとき、導光板３１の導光反射面３１ｂは傾斜角度が小さく、出射面３１ａは横方向にほぼ平坦であるため、透明バックライト３０を通過した光の配光特性が、狭配光バックライト１０の光の配光特性から横方向に±５°以上に広がることはない。なお、狭配光バックライト１０から導光板３１の反射面３１ｃに入射した光は、運転席とは逆方向に曲がるため、運転席から見た輝度を増加させることはない。
【００２３】
また、光学装置４が光透過状態であるため、透明バックライト３０を通過した光は、その配光特性が光学装置４によって横方向に広げられることなく、透過型液晶パネル５に入射する。
【００２４】
透過型液晶パネル５を光が通過する際には、画素配列に起因する回折散乱が生じる。この回折は、サブ画素の開口５１の形状の影響を受けるが、横電界モードの透過型液晶パネル５では櫛歯電極５２の形状の影響も受ける。具体的には、サブ画素の開口５１内において、櫛歯電極５２の延伸方向に沿って白表示時の透過率分布が形成されるため、櫛歯電極５２の延伸方向と直交する方向に強い回折が生じる。
【００２５】
実施の形態１の液晶表示装置１００では、サブ画素の開口５１は、縦辺５１ａが横辺５１ｂよりも短い略長方形であり、櫛歯電極５２の延伸方向が横方向である。櫛歯電極５２の延伸方向を横方向にすることにより、横方向の回折を抑制することができる。
【００２６】
図６は、狭配光バックライト１０および透明バックライト３０の配光特性を表すグラフであり、透過型液晶パネル５の画面の全体に白画像を表示したときの相対輝度分布を示している。狭配光バックライト１０のみを点灯した場合、図６の細い実線のグラフのように、−４０°方向の輝度は十分に抑えられる。したがって、液晶表示装置１００が狭視野角モードで動作するとき、運転席からは画像を視認することができない。すなわち、狭視野角モードでは、主たる表示方向である助手席方向（０°方向）以外の輝度が十分抑えられた輝度プロファイルを実現することができる。
【００２７】
次に、助手席方向（正面方向）および運転席方向（−４０°方向）の両方に表示を行う広視野角モードでの液晶表示装置１００の動作を説明する。広視野角モードの場合、液晶表示装置１００は、狭配光バックライト１０および透明バックライト３０の両方を点灯し、光学装置４を光線散乱状態にした状態で、透過型液晶パネル５に画像を表示する。
【００２８】
図６の太い破線のグラフは、狭配光バックライト１０および透明バックライト３０の両方を点灯し、光学装置４を光透過状態にした状態で、透過型液晶パネル５に全体に白画像を表示した場合の相対輝度分布である。正面方向にピークを持つ狭配光バックライト１０からの光（細い実線のグラフ）と、−４０°方向にピークを持つ透明バックライト３０からの光（細い破線のグラフ）とが重なり、広い配光分布が形成されることが分かる。
【００２９】
ただし、光学装置４が光透過状態であると、−２０°の方向に輝度の谷が発生する。これは、先に述べたように、透過型液晶パネル５の横方向の回折散乱が少ないためである。このように輝度分布に凹凸（ムラ）がある場合、観察者が頭を左右に動かすと画面の輝度のチラツキを感じてしまう。
【００３０】
この問題の発生を防止するために、本実施の形態では、広視野角モードでは光学装置４を散乱状態にする。狭配光バックライト１０および透明バックライト３０の両方を点灯し、光学装置４を光線散乱状態にすると、図７の太い実線のグラフのように、輝度分布のムラがなくなり、滑らかな輝度プロファイルが実現される。すなわち、主たる表示方向である助手席方向（０°方向）と従なる表示方向である運転席方向（−４０°方向）の両方で、十分な輝度を持つ滑らかな輝度プロファイルを実現することができる。これにより、観察者が頭を左右に動かしても画面の輝度のチラツキを感じることがなくなる。
【００３１】
＜実施の形態２＞
図８は、実施の形態２に係る液晶表示装置２００の構成を示す分解斜視図である。実施の形態２の液晶表示装置２００は、実施の形態１（図１）の液晶表示装置１００に対し、透明バックライト３０を透明バックライト７０に変更したものである。それ以外の構成要素は、実施の形態１と同様であるため、それらの詳細な説明は省略する。
【００３２】
透明バックライト７０は、狭配光バックライト１０に対向配置された透明な導光板７１と、導光板７１の側面７１ｄに対向配置された光源７２とを有するサイドライト型である。図９に示すように、透明バックライト７０の導光板７１の前面７１ａ（透過型液晶パネル５側の）は平坦であるが、その裏面（狭配光バックライト１０側の面）には、縦方向に延びるプリズム状の凹凸が形成されている。プリズム状の凹凸は、透過型液晶パネル５の表示面に対する傾斜角度が小さい（透過型液晶パネル５に対して平行に近い）面７１ｂ１〜７１ｂ４と、傾斜角度が大きい面７１ｃ１〜７１ｃ４とが交互に配置された構造を有している。
【００３３】
以下、透明バックライト７０の前面７１ａを「出射面」と称し、透明バックライト７０の裏面の傾斜角度が小さい面７１ｂ１〜７１ｂ４を「導光反射面」、傾斜角度が大きい面７１ｃ１〜７１ｃ４を「反射面」と称し、光源７２が配置された側面７１ｄを「入射側面」と称する。また、導光反射面７１ｂ１〜７１ｂ４および反射面７１ｃ１〜７１ｃ４の傾斜角度に関し、導光板７１の内側で光源７２に面するように傾いた傾斜角度を正（＋）、その逆方向に傾いた傾斜角度を負（−）と定義する。さらに、出射面７１ａから出射する光の進行方向（出射方向）に関し、出射面７１ａの正面方向を０°、光源７２側へ傾いた方向を正（＋）、その逆方向に傾いた方向を負（−）と定義する。
【００３４】
本実施の形態では、狭配光バックライト１０が発した光の進行方向の横方向の変化を１０°以内（±５°以内）に抑えるため、導光反射面７１ｂ１〜７１ｂ４の傾斜角度を−１０°以上、＋１０°以下に設定する。一方、反射面７１ｃ１〜７１ｃ４の傾斜角度は、＋２５°以上、＋５５°以下とする。
【００３５】
ただし、本実施の形態では、導光反射面７１ｂ１〜７１ｂ４の傾斜角度、および、反射面７１ｃ１〜７１ｃ４の傾斜角度は均一ではない。具体的には、導光反射面７１ｂ１〜７１ｂ４の傾斜角度は、光源７２に近い位置のもので負の値、光源７２から遠い位置のもので正の値となるように、光源７２から遠ざかるにつれて増加している。また、反射面７１ｃ１〜７１ｃ４の傾斜角度は、正の値の範囲で、光源７２から遠ざかるにつれて徐々に増加している。
【００３６】
例えば図９では、光源７２に近い方から順に、導光反射面７１ｂ４の傾斜角度は−１０°、導光反射面７１ｂ３の傾斜角度は−５°導光反射面７１ｂ２の傾斜角度は０°、導光反射面７１ｂ１の傾斜角度は５°と、光源７２から遠ざかるにつれて増加している。また、反射面７１ｃ１〜７１ｃ４の傾斜角度も同様に、光源７２から遠ざかるにつれて増加している（反射面７１ｃ１〜７１ｃ４の傾斜角度は正の値である）。
【００３７】
このような構成の導光板７１では、狭配光バックライト１０から導光反射面７１ｂ１〜７１ｂ４に入射した光Ｄは、光源７２から近い導光反射面７１ｂ４では光源７２から遠ざかる方向に曲がり、光源７２から遠い導光反射面７１ｂ１では光源７２に近づく方向に曲がるため、出射面７１ａから出射する光Ｄは集光される。
【００３８】
また、光源７２から導光板７１の入射側面７１ｄに入射した光Ｃは、反射面７１ｃ１〜７１ｃ４で反射されて出射面７１ａから斜め方向に放射される。このとき、光源７２から近い反射面７１ｃ４で反射された光Ｃよりも、光源７２から遠い反射面７１ｃ１で反射された光Ｃの方が大きく曲がるため、出射面７１ａから出射する光Ｃも集光される。
【００３９】
次に、液晶表示装置２００の動作について説明する。ここでは、図１０に示すように、液晶表示装置２００が、自動車内の助手席の正面に設置される助手席用の表示装置である場合を例に挙げる。液晶表示装置２００から見て、助手席はほぼ正面方向に位置し、運転席は左斜め方向（−４０°程度の方向）に位置する。この場合、液晶表示装置２００は、透明バックライト７０の光源７２が、導光板７１の運転席から遠い側になるように構成される。
【００４０】
まず、助手席方向（正面方向）のみに表示を行う狭視野角モードでの液晶表示装置２００の動作を説明する。狭視野角モードの場合、液晶表示装置２００は、狭配光バックライト１０を点灯し、透明バックライト７０を消灯し、光学装置４を光透過状態にした状態で、透過型液晶パネル５に画像を表示する。
【００４１】
狭配光バックライト１０のバックライト１１が発した光は、視野角制限フィルム１２によって横方向に狭い配光特性（４０°方向の輝度は正面輝度の１／１０以下）の光になり、透明バックライト７０の導光板７１を通過する。このとき、導光板７１の導光反射面７１ｂ１〜７１ｂ４は傾斜角度が小さく、出射面７１ａは横方向にほぼ平坦であるため、透明バックライト７０を通過した光の配光特性が、狭配光バックライト１０の光の配光特性から横方向に±５°以上に広がることはない。また、導光反射面７１ｂ１〜７１ｂ４の傾斜角度は光源７２から遠ざかるにつれて増加しているため、透明バックライト７０を通過した光は、正面方向に集光される。このため、助手席の観察者は液晶表示装置２００の画面の全体で明るい画像を観察することができる。なお、狭配光バックライト１０から導光板７１の反射面７１ｃ１〜７１ｃ４に入射した光は、運転席とは逆方向に曲がるため、運転席から見た輝度を増加させることはない。
【００４２】
また、実施の形態１と同様に、透過型液晶パネル５のサブ画素の開口５１において、櫛歯電極５２の延伸方向が横方向であるため、透過型液晶パネル５における光の横方向の回折は抑制されている。従って、狭視野角モードでは、主たる表示方向である助手席方向（０°方向）以外の輝度が十分抑えられた輝度プロファイルを実現することができる。
【００４３】
次に、助手席方向（正面方向）および運転席方向（−４０°方向）の両方に表示を行う広視野角モードでの液晶表示装置２００の動作を説明する。広視野角モードの場合、液晶表示装置２００は、狭配光バックライト１０および透明バックライト７０の両方を点灯し、光学装置４を光線散乱状態にした状態で、透過型液晶パネル５に画像を表示する。
【００４４】
この場合、助手席方向にピークを持つ狭配光バックライト１０からの光と、運転席方向にピークを持つ透明バックライト７０からの光とが重なり、広い配光分布が形成される。また、導光反射面７１ｂ１〜７１ｂ４の傾斜角度は光源７２から遠ざかるにつれて増加しているため、狭配光バックライト１０から出射されて透明バックライト７０を通過した光は、助手席方向に集光される。さらに、反射面７１ｃ１〜７１ｃ４の傾斜角度も、光源７２から遠ざかるにつれて増加しているため、光源７２から出射されて反射面７１ｃ１〜７１ｃ４で反射された光は、運転席方向に集光される。このため、助手席の観察者および運転席の観察者は、液晶表示装置２００の画面の全体で明るい画像を観察することができる。
【００４５】
実施の形態２の液晶表示装置２００では、光学装置４が無くても、運転席ならびに助手席の観察者は、液晶表示装置２００の画面の全体で明るい画像を観察することができる。そのため、光学装置４は省略されてもよい。
【００４６】
なお、本発明は、その発明の範囲内において、各実施の形態を自由に組み合わせたり、各実施の形態を適宜、変形、省略したりすることが可能である。
【符号の説明】
【００４７】
１００，２００  液晶表示装置、１０  狭配光バックライト、１１  バックライト、１２  視野角制限フィルム、３０，７０  透明バックライト、３１，７１  導光板、３２，７２  光源、３１ａ，７１ａ  出射面、３１ｂ，７１ｂ１〜７１ｂ４  導光反射面、３１ｃ，７１ｃ１〜７１ｃ４  反射面、３１ｄ，７１ｄ  入射側面、４  光学装置、５  透過型液晶パネル、５１  サブ画素の開口、５１ａ  サブ画素の開口の縦辺、５１ｂ  サブ画素の開口の横辺、５２  櫛歯電極、Ａ〜Ｄ  光。
【図１】
2020118739.tif 000003
【図２】
2020118739.tif 000004
【図３】
2020118739.tif 000005
【図４】
2020118739.tif 000006
【図５】
2020118739.tif 000007
【図６】
2020118739.tif 000008
【図７】
2020118739.tif 000009
【図８】
2020118739.tif 000010
【図９】
2020118739.tif 000011
【図１０】
2020118739.tif 000012